【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
イオントラップであって、
第１の複数の電極を含む第１の電極セットと、
第２の複数の電極を含む第２の電極セットであって、前記第１の電極セットの下流に配置された第２の電極セットと、
第１の装置であって、（ａ）第１の範囲内の径方向変位を有するイオンが、前記イオンの少なくとも一部を前記イオントラップ内において少なくとも１つの軸方向に閉じ込める働きをするＤＣトラップ場、ＤＣポテンシャル障壁、又は障壁場を受けるように、尚且つ（ｂ）異なる第２の範囲内の径方向変位を有するイオンが、前記イオンの少なくとも一部を前記少なくとも１つの軸方向に抽出する若しくは加速する及び／又は前記イオントラップから出す働きをするＤＣ抽出場、加速ＤＣポテンシャル差、又は抽出場を受けるように、前記第２の複数の電極の１つ又は２つ以上に、１つ又は２つ以上のＤＣ電圧を印加するように構成され適応され、前記第１の装置は、更に、少なくとも一部の正イオン及び／又は負イオンを、前記イオンの有する前記第１の電極セット及び／又は前記第２の電極セットの長手方向中心軸から測定される径方向変位が第１の値より小さい場合に前記イオントラップ内において軸方向に閉じ込めるために、前記第２の複数の電極の１つ又は２つ以上に、前記１つ又は２つ以上のＤＣ電圧を印加するように構成され適応され、前記第１の装置は、少なくとも一部の正イオン及び／又は負イオンを、前記イオンの有する前記第１の電極及び／又は前記第２の電極の前記長手方向中心軸から測定される径方向変位が前記第１の値より大きい場合に抽出して又は加速して前記イオントラップから出す働きをする抽出場を使用時に形成するために、前記第２の複数の電極の１つ又は２つ以上に、前記１つ又は２つ以上のＤＣ電圧を印加するように構成され適応される、第１の装置と、
前記イオントラップ内において少なくとも一部のイオンの径方向変位を変化させる、増加させる、減少させる、又は変更するように構成され適応された第２の装置と
を備えるイオントラップ。
【請求項２】
請求項１に記載のイオントラップであって、
前記第１の電極セットは、第１の長手方向中心軸を含み、
（i）前記第１の長手方向中心軸に沿って真直ぐ見通せ、尚且つ／或いは
（ii）前記第１の長手方向中心軸に沿って軸方向の物理的障害が実質何もなく、尚且つ／或いは
（iii）使用時に前記第１の長手方向中心軸に沿って伝送されるイオンは、実質１００％のイオン伝送効率で伝送されるイオントラップ。
【請求項３】
請求項１または請求項２に記載のイオントラップであって、
前記第２の電極セットは、第２の長手方向中心軸を含み、
（i）前記第２の長手方向中心軸に沿って真直ぐ見通せ、尚且つ／或いは
（ii）前記第２の長手方向中心軸に沿って軸方向の物理的障害が実質何もなく、尚且つ／或いは
（iii）使用時に前記第２の長手方向中心軸に沿って伝送されるイオンは、実質１００％のイオン伝送効率で伝送されるイオントラップ。
【請求項４】
請求項１ないし請求項３の何れかに記載のイオントラップであって、
前記第２の装置は、
（ｉ）第１の時点において前記第１の範囲内に入る径方向変位を有する少なくとも一部のイオンに、続く第２の時点において前記第２の範囲内に入る径方向変位を持たせるように、尚且つ／或いは
（ii）第１の時点において前記第２の範囲内に入る径方向変位を有する少なくとも一部のイオンに、続く第２の時点において前記第１の範囲内に入る径方向変位を持たせるように、
構成されるイオントラップ。
【請求項５】
請求項１ないし請求項４のいずれかに記載のイオントラップであって、
（ａ）前記第１の複数の電極は、多重極ロッドセット、四重極ロッドセット、六重極ロッドセット、八重極ロッドセット、又は８を超える数のロッドを有するロッドセットを含み、尚且つ／或いは
（ｂ）前記第２の複数の電極は、多重極ロッドセット、四重極ロッドセット、六重極ロッドセット、八重極ロッドセット、又は８を超える数のロッドを有するロッドセットを含むイオントラップ。
【請求項６】
請求項１ないし請求項５のいずれかに記載のイオントラップであって、
前記第１の装置は、前記第１の電極セット及び／又は前記第２の電極セットの長手方向中心軸から測定される第１の径方向への径方向変位とともに増加する及び／又は減少する及び／又は変化する電気的ポテンシャルを使用時に前記第１の電極セット内及び／又は前記第２の電極セット内に形成するために、前記第２の複数の電極の１つ又は２つ以上に、１つ又は２つ以上のＤＣ電圧を印加するように構成され適応され、尚且つ、
前記第１の装置は、前記第１の電極セット及び／又は前記第２の電極セットの長手方向中心軸から測定される第２の径方向への径方向変位とともに増加する及び／又は減少する及び／又は変化する電気的ポテンシャルを使用時に形成するために、前記第２の複数の電極の１つ又は２つ以上に、１つ又は２つ以上のＤＣ電圧を印加するように構成され適応され、前記第２の径方向は、前記第１の径方向に直交する、イオントラップ。
【請求項７】
請求項１ないし請求項６のいずれかに記載のイオントラップであって、
前記第２の装置は、前記第１の電極セット内及び／又は前記第２の電極セット内において少なくとも一部のイオンを質量選択方式又は質量対電荷比選択方式で径方向に励起して、前記第１の電極セット内及び／又は前記第２の電極セット内における少なくとも一部のイオンの径方向運動を質量選択方式又は質量対電荷比選択方式で少なくとも１つの径方向に増大させるために、前記第１の複数の電極の少なくとも一部に及び／又は前記第２の複数の電極の少なくとも一部に、第１の位相及び／又は第２の逆位相の１つ又は２つ以上の励起電圧、ＡＣ電圧、又はティックル電圧を印加するように構成され適応されるイオントラップ。
【請求項８】
請求項１ないし請求項７のいずれかに記載のイオントラップであって、更に、
前記第１の電極セット間に配置された第１の複数のヴェーン電極若しくは補助電極、及び／又は前記第２の電極セット間に配置された第２の複数のヴェーン電極若しくは補助電極を備えるイオントラップ。
【請求項９】
請求項１ないし請求項８のいずれかに記載のイオントラップであって、
前記第２の装置は、前記第１の複数の電極及び／又は前記第２の複数の電極の少なくとも一部に、１つ又は２つ以上のＤＣポテンシャルを印加することによって、イオンの径方向変位を増加させるように構成され適応される、イオントラップ。
【請求項１０】
請求項１ないし請求項９のいずれかに記載のイオントラップであって、
一動作モードにおいて、
（ｉ）イオンは、前記イオントラップから軸方向に実質断熱的に、及び／又は前記イオンに軸方向エネルギを大きく付与することなく放出され、尚且つ／或いは
（ii）イオンは、(i)＜１ｅＶ、(ii)１〜２ｅＶ、(iii)２〜３ｅＶ、(iv)３〜４ｅＶ、(v)４〜５ｅＶ、(vi)５〜６ｅＶ、(vii)６〜７ｅＶ、(viii)７〜８ｅＶ、(ix)８〜９ｅＶ、(x)９〜１０ｅＶ、(xi)１０〜１５ｅＶ、(xii)１５〜２０ｅＶ、(xiii)２０〜２５ｅＶ、(xiv)２５〜３０ｅＶ、(xv)３０〜３５ｅＶ、(xvi)３５〜４０ｅＶ、及び(xvii)４０〜４５ｅＶからなる群より選択される範囲内の平均軸方向運動エネルギによって、軸方向に前記イオントラップから軸方向に放出され、尚且つ／或いは
（iii）イオンは、軸方向に前記イオントラップから軸方向に放出され、軸方向運動エネルギの標準偏差は、(i)＜１ｅＶ、(ii)１〜２ｅＶ、(iii)２〜３ｅＶ、(iv)３〜４ｅＶ、(v)４〜５ｅＶ、(vi)５〜６ｅＶ、(vii)６〜７ｅＶ、(viii)７〜８ｅＶ、(ix)８〜９ｅＶ、(x)９〜１０ｅＶ、(xi)１０〜１５ｅＶ、(xii)１５〜２０ｅＶ、(xiii)２０〜２５ｅＶ、(xiv)２５〜３０ｅＶ、(xv)３０〜３５ｅＶ、(xvi)３５〜４０ｅＶ、及び(xvii)４０〜４５ｅＶからなる群より選択される範囲内である、イオントラップ。
【請求項１１】
請求項１ないし請求項１０のいずれかに記載のイオントラップであって、
前記第１の電極セットは、第１の多重極ロッドセットを含み、前記第２の電極セットは、第２の多重極ロッドセットを含み、イオンを前記第１の多重極ロッドセット内及び／又は前記第２の多重極ロッドセット内に径方向に閉じ込めるために、前記第１の多重極ロッドセットに及び第２の多重極ロッドセットに、実質同じ振幅及び／又は周波数及び／又は位相のＡＣ電圧又はＲＦ電圧が印加される、イオントラップ。
【請求項１２】
請求項１ないし請求項１１のいずれかに記載のイオントラップを備える質量分析計。
【請求項１３】
イオンをトラップする方法であって、
第１の複数の電極を含む第１の電極セット及び第２の複数の電極を含む第２の電極セットを提供することであって、前記第２の電極セットは、前記第１の電極セットの下流に配置されることと、
第１の範囲内の径方向変位を有するイオンが、前記イオンの少なくとも一部を前記イオントラップ内において少なくとも１つの軸方向に閉じ込める働きをするＤＣトラップ場、ＤＣポテンシャル障壁、又は障壁場を受けるように、前記第２の複数の電極の１つ又は２つ以上に、１つ又は２つ以上のＤＣ電圧を印加することであって、異なる第２の範囲内の径方向変位を有するイオンは、前記イオンの少なくとも一部を前記少なくとも１つの軸方向に抽出する若しくは加速する及び／又は前記イオントラップから出す働きをするＤＣ抽出場、加速ＤＣポテンシャル差、又は抽出場を受け、前記１つ又は２つ以上のＤＣ電圧は、少なくとも一部の正イオン及び／又は負イオンを、前記イオンの有する前記第１の電極セット及び／又は前記第２の電極セットの長手方向中心軸から測定される径方向変位が第１の値より小さい場合に前記イオントラップ内において軸方向に閉じ込めるために、前記第２の複数の電極の１つ又は２つ以上に印加され、前記１つ又は２つ以上のＤＣ電圧は、少なくとも一部の正イオン及び／又は負イオンを、前記イオンの有する前記第１の電極及び／又は前記第２の電極の長手方向中心軸から測定される径方向変位が前記第１の値より大きい場合に抽出して又は加速して前記イオントラップから出す働きをする抽出場を使用時に形成するために、前記第２の複数の電極の１つ又は２つ以上に印加される、ことと、
前記イオントラップ内において少なくとも一部のイオンの径方向変位を変化させる、増加させる、減少させる、又は変更することと、
を備える方法。
【請求項１４】
請求項１３に記載のイオンをトラップする方法を備える質量分析の方法。
【請求項１５】
コンピュータ実行可能命令を格納したコンピュータ可読媒体であって、前記コンピュータ実行可能命令は、第１の複数の電極を含む第１の電極セットと、第２の複数の電極を含む第２の電極セットであって前記第１の電極セットの下流に配置された第２の電極セットと、を含むイオントラップを含む質量分析計の制御システムに、
（ｉ）（ａ）第１の範囲内の径方向変位を有するイオンが、前記イオンの少なくとも一部を前記イオントラップ内において少なくとも１つの軸方向に閉じ込める働きをするＤＣトラップ場、ＤＣポテンシャル障壁、又は障壁場を受けるように、尚且つ（ｂ）異なる第２の範囲内の径方向変位を有するイオンが、前記イオンの少なくとも一部を前記少なくとも１つの軸方向に抽出する若しくは加速する及び／又は前記イオントラップから出す働きをするＤＣ抽出場、加速ＤＣポテンシャル差、又は抽出場を受けるように、前記第２の複数の電極の１つ又は２つ以上に、１つ又は２つ以上のＤＣ電圧を印加することであって、前記１つ又は２つ以上のＤＣ電圧は、少なくとも一部の正イオン及び／又は負イオンを、前記イオンの有する前記第１の電極セット及び／又は前記第２の電極セットの長手方向中心軸から測定される径方向変位が第１の値より小さい場合に前記イオントラップ内において軸方向に閉じ込めるために、前記第２の複数の電極の１つ又は２つ以上に印加され、前記１つ又は２つ以上のＤＣ電圧は、少なくとも一部の正イオン及び／又は負イオンを、前記イオンの有する前記第１の電極及び／又は前記第２の電極の長手方向中心軸から測定される径方向変位が前記第１の値より大きい場合に抽出して又は加速して前記イオントラップから出す働きをする抽出場を使用時に形成するために、前記第２の複数の電極の１つ又は２つ以上に印加される、ことと、
（ii）前記イオントラップ内において少なくとも一部のイオンの径方向変位を変化させる、増加させる、減少させる、又は変更することと、
を行わせるために、前記制御システムによって実行可能であるように構成される、コンピュータ可読媒体。
【手続補正２】
【補正対象書類名】明細書
【補正対象項目名】発明の名称
【補正方法】変更
【補正の内容】
【発明の名称】イオントラップ、質量分析計およびその方法、並びにコンピュータ可読媒体